(57)【要約】【課題】ディスクが回転することにより発生する騒音を減少させることができる光ディスク装置のディスクチャッキング装置を提供する。【解決手段】スピンドルモータで回転駆動されるターンテーブル４０と、ターンテーブル４０に磁気吸引されて、ディスク圧着面１６３Ａによってディスク１をターンテーブル４０のディスク基準面４０ｂ上に圧着して固定するチャッキングプーリ１６３とを備えた光ディスク装置のディスクチャッキング装置１６１において、ディスク１の回転による遠心力によって発生する気流の加速を防止するための壁部１６４を、チャッキングプーリ１６３のディスク圧着面１６３Ａとは反対側の面１６３Ｂ上に、周方向に沿って連続的に設けた。【選択図】        図１
2004152435.tif 000002
【特許請求の範囲】
【請求項１】
スピンドルモータで回転駆動されるターンテーブルと、ディスク圧着面によってディスクを前記ターンテーブルのディスク基準面上に圧着して固定するチャッキングプーリとを備えた光ディスク装置のディスクチャッキング装置において、
前記チャッキングプーリは、前記ディスク圧着面とは反対側の面上に、周方向に沿って、前記ディスクの回転による遠心力によって発生する気流の加速を防止するための壁部を有することを特徴とする光ディスク装置のディスクチャッキング装置。
【請求項２】
スピンドルモータで回転駆動されるターンテーブルと、ディスク圧着面によってディスクを前記ターンテーブルのディスク基準面上に圧着して固定するチャッキングプーリとを備えた光ディスク装置のディスクチャッキング装置において、
前記チャッキングプーリは、前記ディスク圧着面とは反対側の面上に、周方向に沿って、連続的に壁部を有することを特徴とする光ディスク装置のディスクチャッキング装置。
【請求項３】
前記チャッキングプーリは、前記壁部を中心部分から半径方向に向かって所定の間隔で複数有することを特徴とする請求項１又は２記載の光ディスク装置のディスクチャッキング装置。
【請求項４】
前記チャッキングプーリは、固定する前記ディスクの共振周波数よりも高い共振周波数を持つことを特徴とする請求項１から３のいずれか一項記載の光ディスク装置のディスクチャッキング装置。
【請求項５】
前記チャッキングプーリは、中心部分の肉厚が該中心部分以外の肉厚よりも前記壁部が設けられた面方向に向かって厚く形成されていることを特徴とする請求項１から４のいずれか一項記載の光ディスク装置のディスクチャッキング装置。
【請求項６】
前記チャッキングプーリは、前記ディスク圧着面を前記ターンテーブルのディスク基準面より大径に形成されることを特徴とする請求項１から５のいずれか一項記載の光ディスク装置のディスクチャッキング装置。
【請求項７】
前記チャッキングプーリは、固定する前記ディスクの直径と同一の直径に形成されることを特徴とする請求項１から６のいずれか一項記載の光ディスク装置のディスクチャッキング装置。
【請求項８】
請求項１から７のいずれか一項記載のディスクチャッキング装置を用いた光ディスク装置。
【発明の詳細な説明】
【０００１】
【発明の属する技術分野】
本発明初は、光ディスク装置のディスクチャッキング装置及び光ディスク装置に関し、特に、チャッキングプーリを備えた光ディスク装置のディスクチャッキング装置及び光ディスク装置に関する。
【０００２】
【従来の技術】
従来、チャッキングプーリを備えた光ディスク装置のディスクチャッキング装置が提案されている。図１０及び図１１は、この従来の光ディスク装置を説明するための図である。図１０は、従来の光ディスク装置のアンローディング時の斜視図である。また、図１１は、従来の光ディスク装置のローディング時の斜視図である。
【０００３】
図１０に示すように、光ディスク１をディスクトレー２の上面に形成された凹所３内に水平に載置した後に、ディスクトレー２のフロントパネル２ａを矢印ａ１方向に軽く押すと、ローディングスイッチ（図示せず）がＯＮとなり、ローディング機構によって、図１１に示すように、ディスクトレー２がトレー出入口４から光ディスク装置５内にローディング方向である矢印ａ１方向から水平に引き込まれて、光ディスク１がスピンドルモータのターンテーブル上に水平に自動的にローディングされる。
【０００４】
このローディング後に、ホストコンピュータからの記録及び／又は再生指令信号等によって、スピンドルモータによって光ディスク１が高速で回転駆動され、光学ピックアップによって光ディスク１のデータが記録及び／又は再生される。また、光ディスク１の再生後は、ホストコンピュータからのアンローディング指令信号等によって、図１０に示すように、ディスクトレー２がトレー出入口４から光ディスク装置５外にアンローディング方向である矢印ａ２方向に自動的にアンローディングされる。
【０００５】
また、図１２は、従来例１の光ディスク装置のディスクチャッキング装置を説明するための図である。図１２において、６１はディスクチャッキング装置、６３はチャッキングプーリと、６５はマグネット、６６はヨークをそれぞれ示している。また、６３ａはフランジ、６３ｂはディスク圧着面と、６３ｃは中心ピンをそれぞれ示している。また、１は光ディスク、３９はスピンドルモータ、３９ａはモータ軸、４０はターンテーブル、４０ａはセンターリングガイド、４０ｂはディスク基準面、４０ｃは中心穴を示している。
【０００６】
また、図１２で１点鎖線や点線で示すように、光ディスク１には反りや捩れが必ずある。また、光ディスク１を高速で回転駆動すると、固有振動が発生する。更には、光ディスク１の記録及び／又は再生中には、スピンドルモータ３９の振動、光学ピックアップのキャリッジ（図示省略）の高速シークに伴う振動、スキュー調整動作に伴う振動等による共振現象による振動が光ディスク１に発生する。これら光ディスク１の反りや捩れ、固有振動や共振現象による振幅が大きいと、対物レンズによって光ディスク１に照射されるレーザービームのフォーカスに誤算が発生し、データの正確な記録及び／又は再生を行えなくなり、また、ディスクが破損してしまうこともある。
【０００７】
図１３は、従来例２の光ディスク装置のディスクチャッキング装置を説明するための図である。図１３に示す従来例は、従来例１の問題点を解決するものであって、光ディスクの反りや捩れを矯正することができるようにした光ディスク装置のディスクチャッキング装置が提案されている（特許文献１）。
【０００８】
図１３において、１はディスク、３９はスピンドルモータ、３９ａはモータ軸、４０はターンテーブル、４０ｂはディスク基準面４０ｂ、４０ｃは中心穴、６１はディスクチャッキング装置、６３はチャッキングプーリ、６３Ａはチャッキングプーリ本体、６３Ｂはディスク圧着板、６３ａはフランジ、６３ｂはディスク圧着面、６３ｃはディスク圧着面、６５はマグネット、６６はヨーク、６７は係止爪６７、６８は係止穴、６９は中央凹部をそれそれ示している。
【０００９】
チャッキングプーリ本体６３Ａとディスク圧着板６３Ｂは非磁性で、かつ、高剛性の部材であるアルミニウムやエンジニアリングプラスチック等によって一体成形されている。この従来のディスクチャッキング装置６１は、マグネット６５によるターンテーブル４０への磁気吸引力によってチャッキングプーリ６３が光ディスク１をターンテーブル４０のディスク基準面４０ｂ上に圧着して固定する際に、チャッキングプーリ６３の高剛性の部材によって高精度に加工されているディスク圧着板６３Ｂのディスク圧着面６３ｂのプレス作用によって光ディスク１の弾力に抗して、その光ディスク１の反りや捩れを矯正するようにしている。これにより、その光ディスク１をディスク基準面４０ｂ上に高精度に圧着して固定することができるというものである。
【００１０】
また、そのディスク圧着面６３ｂはディスク基準面４０ｂより大径に構成されていることから、そのディスク圧着面６３ｂは光ディスク１の内外周のほぼ中間位置を圧着することになる。このディスクチャッキングにより、光ディスク１の反りや捩れがディスク圧着面６３ｂに倣って高精度に矯正されて、その光ディスク１の平面度が著しく向上される。また、光ディスク１へのデータの記録及び／又は再生時に、光ディスク１がスピンドルモータ３９によって高速で回転駆動されることによって発生する光ディスク１の固有振動、或いはスピンドルモータ３９の振動や光学ピックアップのキャリッジ（図示省略）の高速シークに伴う振動及びスキュー調整動作に伴う振動等による共振現象による振動が光ディスク１に発生しても、その光ディスク１の振動をディスク圧着板６３Ｂの大径のディスク圧着面６３ｂによるプレス作用によって減衰することができるというものである。
【００１１】
【特許文献１】
特開平１１−２１３４９５号公報
【発明が解決しようとする課題】
しかしながら、上記従来例は振動の低減を目的としたものであるが、ディスクが回転することにより、ディスク面上に生じる気流音に関しては何ら考慮されておらず、騒音に対しての対策が不十分であった。図１４は、この従来の光ディスク装置の問題点を説明するための図である。図１４は、図１３に示した光ディスク装置のディスクチャッキング装置に対応したものであって、説明をより簡単にするために図は簡略化して示している。１は光ディスク、１１は外部との空間を隔てるトップケース、４０はターンテーブル、６３はチャッキングプーリをそれぞれ示している。
【００１２】
そして、スピンドルモータ（図示省略）によりディスク１を回転させると、遠心力によって、光ディスク１の表面の中心付近から、外周方向に向かって、摩擦によって、空気が流れることにより気流が生じてしまい、この気流による騒音が大きいという問題がある。
【００１３】
そこで、本発明は上記従来技術の問題点を解決し、ディスクが回転することにより発生する騒音を減少させることができる光ディスク装置のディスクチャッキング装置、及び光ディスク装置を提供することを目的とする。
【００１４】
【課題を解決するための手段】
上記課題を解決するために、請求項１記載の光ディスク装置のディスクチャッキング装置は、スピンドルモータで回転駆動されるターンテーブルと、ディスク圧着面によってディスクを前記ターンテーブルのディスク基準面上に圧着して固定するチャッキングプーリとを備えた光ディスク装置のディスクチャッキング装置において、前記チャッキングプーリは、前記ディスク圧着面とは反対側の面上に、周方向に沿って、前記ディスクの回転による遠心力によって発生する気流の加速を防止するための壁部を有することを特徴とする。
【００１５】
請求項１記載の光ディスク装置のディスクチャッキング装置によれば、前記ディスクの回転による遠心力によって発生する気流の加速を防止するための壁部を、前記チャッキングプーリのディスク圧着面とは反対側の面上に、周方向に沿って連続的に設けるようにしたので、この壁部により、気流が一旦遮られ、外周に近づくにつれて増加する気流の加速を止めることができる。これにより、ディスクが回転することにより発生する騒音を減少させることができる。
【００１６】
また、請求項２記載の光ディスク装置のディスクチャッキング装置は、スピンドルモータで回転駆動されるターンテーブルと、ディスク圧着面によってディスクを前記ターンテーブルのディスク基準面上に圧着して固定するチャッキングプーリとを備えた光ディスク装置のディスクチャッキング装置において、前記チャッキングプーリは、前記ディスク圧着面とは反対側の面上に、周方向に沿って、連続的に壁部を有することを特徴とする。
【００１７】
請求項２記載の光ディスク装置のディスクチャッキング装置によれば、周方向に沿って連続的に壁部を設けるようにしたので、ディスクの回転による遠心力によって発生する気流の加速を防止することができる。これにより、ディスクが回転することにより発生する騒音を減少させることができる。
【００１８】
ここで、連続的とは、ディスクの回転による遠心力によって発生する気流の加速を防止することができるように壁部が形成されていることをいい、例えば、図１及び図２に示す壁部のように、周方向に沿って一体的に設けられた壁部でもよいし、図示は省略するが所定の間隔をおいてこの壁部を形成するようにしてもよい。
【００１９】
また、請求項３記載のディスクチャッキング装置の前記チャッキングプーリは、請求項１又は２記載の光ディスク装置のディスクチャッキング装置において、前記壁部を中心部分から半径方向に向かって所定の間隔で複数有することを特徴とする。請求項３記載の光ディスク装置のディスクチャッキング装置によれば、前記壁部を半径方向に向かって所定の間隔で複数設けるようにしたので、ディスクが回転することにより増加する気流の加速を止めることができる。これにより、流速の低下によって、ディスクが回転することにより発生する騒音を減少させることができる。
【００２０】
また、請求項４記載のディスクチャッキング装置のチャッキングプーリは、請求項１から３のいずれか一項記載の光ディスク装置のディスクチャッキング装置において、固定する前記ディスクの共振周波数よりも高い共振周波数を持つことを特徴とする。請求項４記載の光ディスク装置のディスクチャッキング装置によれば、チャッキングプーリは、固定するディスクの共振周波数よりも高い共振周波数を持つので、ディスクが回転することにより起る共振によって生ずるディスクの変形を防止することができる。これにより、ディスクの疲労破壊を防止することができる。
【００２１】
また、請求項５記載の光ディスク装置のディスクチャッキング装置は、請求項１から４のいずれか一項記載の光ディスク装置のディスクチャッキング装置において、前記チャッキングプーリを、中心部分の肉厚が該中心部分以外の肉厚よりも前記壁部が設けられた面方向に向かって厚く形成している。請求項５記載の光ディスク装置のディスクチャッキング装置によれば、前記チャッキングプーリは、中心部分の肉厚が該中心部分以外の肉厚よりも前記壁部が設けられた面方向に向かって厚く形成されているので、チャッキングプーリの剛性を高めることができる。
【００２２】
また、請求項６記載のディスクチャッキング装置のチャッキングプーリは、請求項１から５のいずれか一項記載の光ディスク装置のディスクチャッキング装置において、前記ディスク圧着面を前記ターンテーブルのディスク基準面より大径に形成されることを特徴とする。請求項６記載の光ディスク装置のディスクチャッキング装置によれば、前記チャッキングプーリのディスク圧着面を前記ターンテーブルのディスク基準面より大径に構成したので、チャッキングプーリのディスク圧着面の拡大により、剛性を高めることができ、ディスクの変形量を減少させることができる。変形量の減少により発生応力が小さくなる。これにより、共振領域で使用する時のディスク破損を防止することができる。
【００２３】
また、請求項７記載のディスクチャッキング装置のチャッキングプーリは、請求項１から６のいずれか一項記載の光ディスク装置のディスクチャッキング装置において、固定する前記ディスクの直径と同一の直径に形成されることを特徴とする。請求項７記載のディスクチャッキング装置によれば、チャッキングプーリは、固定する前記ディスクの直径と同一の直径に形成されるため、チャッキングプーリがディスクを圧着する面が大きくなることから、ディスクが回転することにより発生する共振を確実に防止することができる。また、請求項８記載の光ディスク装置は、請求項１から６のいずれか一項記載のディスクチャッキング装置を用いている。請求項８記載の光ディスク装置によれば、前記ディスクの回転による遠心力によって発生する気流の加速を防止するための壁部を、前記チャッキングプーリのディスク圧着面とは反対側の面上に、周方向に沿って連続的に設けるようにしたので、この壁により、気流が一旦遮られ、外周に近づくにつれて増加する気流の加速を止めることができる。これにより、流速の低下によって、ディスクが回転することにより発生する騒音を減少させることができる光ディスクを提供できる。
【００２４】
【発明の実施の形態】
（第１の実施の形態）
以下、本発明を適用した一実施形態の光ディスク装置のディスクチャッキング装置について、図面を参照しながら説明する。図１は、第１の実施の形態に係る光ディスク装置のディスクチャッキング装置１６１を説明するための図である。また、図２は、図１に示したチャッキングプーリ１６３を説明するための図である。図２（ａ）は、チャッキングプーリ１６３の正面図である。図２（ｂ）は、チャッキングプーリ１６３の平面図である。
【００２５】
図１及び図２に示すように、光ディスク装置のディスクチャッキング装置１６１は、スピンドルモータで回転駆動されるターンテーブル４０と、このターンテーブル４０に磁気吸引されて、ディスクの圧着面１６３Ａによって光ディスク１をターンテーブルのディスク基準面４０ｂ上に圧着して固定するチャッキングプーリ１６３とを備えている。なお、本実施の形態では、磁気吸引によりディスクをターンテーブルに圧着して固定する例について説明するが、これに限定されることなく、バネなどによりディスクを圧着するようにしてもよい。
【００２６】
また、ディスクチャッキング装置１６１は、チャッキングプーリのディスク圧着面１６３Ａとは反対側の面１６３Ｂ上に、光ディスク１の回転による遠心力によって発生する気流の加速を防止するための壁部１６４を周方向に沿って連続的に、設けている。また、図１において、１１はトップケースを示している。また、チャッキングプーリ１６３は、軽量材料でかつ高剛性に設計することが好ましい。軽量材料としては、例えば、軽量樹脂、軽量金属、カーボン類などを用いることができる。また、壁部１６４はチャッキングプーリ１６３と一体的に成形されている。
【００２７】
このように、ディスクチャッキング装置１６１は、ディスク１の回転による遠心力によって発生する気流の加速を防止するための壁部１６４を、チャッキングプーリ１６３のディスク圧着面１６３Ａとは反対側の面上に、周方向に沿って連続的に設けるようにしたので、この壁部１６４により、図１４で説明した気流が一旦遮られ、図１に示すように、気流１と気流２に分かれるため、外周に近づくにつれて増加する気流の加速を止めることができる。これにより、流速の低下によって、ディスク１が回転することにより発生する騒音を減少させることができる。また、チャッキングプーリ１６３は、固定するディスク１の共振周波数よりも高い共振周波数を持つことが好ましい。チャッキングプーリ１６３が固定するディスク１の共振周波数よりも高い共振周波数を持つようにすることにより、ディスク１の共振を防止することができ、ディスク１が回転することにより起る共振によって生ずるディスク１の変形を防止することができる。これにより、ディスクの疲労破壊を防止することができる。
【００２８】
（第２の実施の形態）
図３は、第２の実施の形態に係る光ディスク装置のディスクチャッキング装置２６１を説明するための図である。図４は、図３に示したチャッキングプーリ２６３を説明するための図である。図４（ａ）は、チャッキングプーリ２６３の正面図である。図４（ｂ）は、チャッキングプーリ２６３の平面図である。
【００２９】
図３及び図４に示すように、光ディスク装置のディスクチャッキング装置２６１は、スピンドルモータで回転駆動されるターンテーブル４０と、このターンテーブル４０に磁気吸引されて、ディスクの圧着面２６３Ａによって光ディスク１をターンテーブル４０のディスク基準面４０ｂ上に圧着して固定するチャッキングプーリ２６３とを備えている。
【００３０】
また、ディスクチャッキング装置２６１は、チャッキングプーリ２６３のディスク圧着面２６３Ａとは反対側の面２６３Ｂ上に、光ディスク１の回転による遠心力によって発生する気流の加速を防止するための壁部２６４を周方向に沿って連続的に、設けている。また、本実施の形態のディスクチャッキング装置２６１は、第１の実施の形態とは異なり、チャッキングプーリ２６３のディスク圧着面２６３Ａをターンテーブル４０のディスク基準面４０ｂより大径に構成している。また、図４において、１１はトップケースを示している。また、チャッキングプーリ２６３は、軽量材料でかつ高剛性に設計することが好ましい。例えば、軽量材料としては、軽量樹脂、軽量金属、カーボン類などを用いることができる。また、壁部２６４はチャッキングプーリ２６３と一体的に成形されている。
【００３１】
このように、ディスクチャッキング装置２６１は、ディスク１の回転による遠心力によって発生する気流の加速を防止するための壁部２６４を、チャッキングプーリ２６３のディスク圧着面２６３Ａとは反対側の面上に、周方向に沿って連続的に設けるようにしたので、この壁部２６３により、図１４で説明した気流が一旦遮られ、図３に示すように、気流１と気流２に分かれるため、外周に近づくにつれて増加する気流の加速を止めることができる。これにより、流速の低下によって、ディスク１が回転することにより発生する騒音を減少させることができる。
【００３２】
また、本実施の形態におけるディスクチャッキング装置２６１は、チャッキングプーリ２６３のディスク圧着面２６３Ａをターンテーブル４０のディスク基準面４０ｂより大径に構成するようにしたので、チャッキングプーリ２６３のディスク圧着面２６３Ａの拡大により、剛性を高めることができ、ディスク１の変形量を減少させることがで、変形量の減少により発生応力を小さくすることができる。これにより、共振領域で使用する時のディスク破損を防止することができる。さらに、チャッキングプーリ２６３は、固定するディスク１の共振周波数よりも高い共振周波数を持つことが好ましい。チャッキングプーリ２６３が固定するディスク１の共振周波数よりも高い共振周波数を持つようにすることにより、ディスク１の共振を防止することができ、ディスク１が回転することにより起る共振によって生ずるディスク１の変形を防止することができる。これにより、ディスクの疲労破壊を防止することができる。
【００３３】
（第３の実施の形態）
図５は、第３の実施の形態に係る光ディスク装置のディスクチャッキング装置３６１を説明するための図である。図６は、図５に示したチャッキングプーリ３６３を説明するための図である。図５（ａ）は、チャッキングプーリ３６３の正面図である。図５（ｂ）は、チャッキングプーリ３６３の平面図である。
【００３４】
図５及び図６に示すように、光ディスク装置のディスクチャッキング装置３６１は、スピンドルモータで回転駆動されるターンテーブル４０と、このターンテーブル４０に磁気吸引されて、ディスクの圧着面３６３Ａによって光ディスク１をターンテーブル４０のディスク基準面４０ｂ上に圧着して固定するチャッキングプーリ３６３とを備えている。
【００３５】
また、ディスクチャッキング装置３６１は、チャッキングプーリ３６３のディスク圧着面３６３Ａとは反対側の面３６３Ｂ上に、光ディスク１の回転による遠心力によって発生する気流の加速を防止するための壁部３６４を周方向に沿って連続的に、設けている。
【００３６】
また、第１及び第２の実施形態では、壁部１６４、２６４をチャッキングプーリ３６４の端部に設けるようにしていたが、本実施の形態では、壁部３６４は、図５及び図６に示すように、チャッキングプーリ３６４の中心部分から所定の位置に設けるようにしてもよい。また、本実施の形態のディスクチャッキング装置３６１は、第２の実施の形態と同様に、チャッキングプーリ３６３のディスク圧着面３６３Ａをターンテーブル４０のディスク基準面４０ｂより大径に構成している。また、図５において、１１はトップケースを示している。また、チャッキングプーリ３６３は、軽量材料でかつ高剛性に設計することが好ましい。軽量材料としては、例えば、軽量樹脂、軽量金属、カーボン類などを用いる。また、壁部３６４はチャッキングプーリ３６３と一体的に成形されている。
【００３７】
このように、ディスクチャッキング装置３６１は、ディスク１の回転による遠心力によって発生する気流の加速を防止するための壁部３６４を、チャッキングプーリ３６３のディスク圧着面３６３Ａとは反対側の面上に、周方向に沿って連続的に設けるようにしたので、この壁部３６３により、図１４で説明した気流が一旦遮られ、図５に示すように、気流１と気流２に分かれるため、外周に近づくにつれて増加する気流の加速を止めることができる。これにより、流速の低下によって、ディスク１が回転することにより発生する騒音を減少させることができる。
【００３８】
また、本実施の形態におけるディスクチャッキング装置３６１は、チャッキングプーリ３６３のディスク圧着面３６３Ａをターンテーブル４０のディスク基準面４０ｂより大径に構成している。このため、チャッキングプーリ３６３のディスク圧着面３６３Ａの拡大により、剛性を高めることができ、ディスク１の変形量を減少させることがで、変形量の減少により発生応力を小さくすることができる。これにより、共振領域で使用する時のディスク破損を防止することができる。また、チャッキングプーリ３６３は、固定するディスク１の共振周波数よりも高い共振周波数を持つことが好ましい。チャッキングプーリ３６３が固定するディスク１の共振周波数よりも高い共振周波数を持つようにすることにより、ディスク１の共振を防止することができ、ディスク１が回転することにより起る共振によって生ずるディスク１の変形を防止することができる。これにより、ディスクの疲労破壊を防止することができる。
【００３９】
（第４の実施の形態）
図７は、第４の実施の形態に係る光ディスク装置のディスクチャッキング装置４６１を説明するための図である。図８は、図７に示したチャッキングプーリ４６３を説明するための図である。図８（ａ）は、チャッキングプーリ４６３の正面図である。図８（ｂ）は、チャッキングプーリ４６３の平面図である。
【００４０】
図７及び図８に示すように、光ディスク装置のディスクチャッキング装置４６１は、スピンドルモータで回転駆動されるターンテーブル４０と、このターンテーブル４０に磁気吸引されて、ディスクの圧着面４６３Ａによって光ディスク１をターンテーブル４０のディスク基準面４０ｂ上に圧着して固定するチャッキングプーリ４６３とを備えている。また、ディスクチャッキング装置４６１は、チャッキングプーリ４６３のディスク圧着面４６３Ａとは反対側の面４６３Ｂ上に、光ディスク１の回転による遠心力によって発生する気流の加速を防止するための壁部４６４、４６５を周方向に沿って連続的に、設けている。
【００４１】
また、上記実施形態では、１つの壁部をチャッキングプーリ３６４に設けるようにしていたが、本実施の形態では、図７及び図８に示すように、チャッキングプーリ４６３の中心部分から半径方向に向かって所定の間隔で壁部４６４、４６５を設けるようにしている。なお、壁部４６４、４６５は２以上でもよい。また、本実施の形態のディスクチャッキング装置４６１は、第２の実施の形態と同様に、チャッキングプーリ４６３のディスク圧着面４６３Ａをターンテーブル４０のディスク基準面４０ｂより大径に構成している。また、１１はトップケースを示している。また、チャッキングプーリ４６３は、軽量材料でかつ高剛性に設計することが好ましい。軽量材料としては、例えば、軽量樹脂、軽量金属、カーボン類などを用いることができる。また、壁部４６４、４６５はチャッキングプーリ４６３と一体的に成形されている。
【００４２】
このように、ディスクチャッキング装置４６１は、ディスク１の回転による遠心力によって発生する気流の加速を防止するための壁部４６４、４６５を、チャッキングプーリ４６３のディスク圧着面４６３Ａとは反対側の面上に、周方向に沿って連続的に設けるようにしたので、この壁部４６３により、図１４で説明した気流が一旦遮られ、図７に示すように、気流１と気流２に分かれるため、外周に近づくにつれて増加する気流の加速を止めることができる。これにより、流速の低下によって、ディスク１が回転することにより発生する騒音を減少させることができる。また、本実施の形態では、チャッキングプーリ４６３の中心部分から半径方向に向かって所定の間隔で壁部４６４、４６５を設けるようにしているので、ディスク１が回転することにより増加する気流の加速をさらに、止めることができる。
【００４３】
また、本実施の形態におけるディスクチャッキング装置４６１は、チャッキングプーリ４６３のディスク圧着面４６３Ａをターンテーブル４０のディスク基準面４０ｂより大径に構成している。このため、チャッキングプーリ４６３のディスク圧着面４６３Ａの拡大により、剛性を高めることができ、ディスク１の変形量を減少させることがで、変形量の減少により発生応力を小さくすることができる。これにより、共振領域で使用する時のディスク破損を防止することができる。また、チャッキングプーリ４６３は、固定するディスク１の共振周波数よりも高い共振周波数を持つことが好ましい。チャッキングプーリ４６３が固定するディスク１の共振周波数よりも高い共振周波数を持つようにすることにより、ディスク１の共振を防止することができ、ディスク１が回転することにより起る共振によって生ずるディスク１の変形を防止することができる。これにより、ディスクの疲労破壊を防止することができる。
【００４４】
（第５の実施の形態）
図９は、第５の実施の形態に係る光ディスク装置のディスクチャッキング装置５６１を説明するための図である。図９に示すように、光ディスク装置のディスクチャッキング装置５６１は、スピンドルモータで回転駆動されるターンテーブル４０と、このターンテーブル４０に磁気吸引されて、ディスクの圧着面５６３Ａによって光ディスク１をターンテーブル４０のディスク基準面４０ｂ上に圧着して固定するチャッキングプーリ５６３とを備えている。
【００４５】
また、ディスクチャッキング装置５６１は、チャッキングプーリ５６３のディスク圧着面５６３Ａとは反対側の面５６３Ｂ上に、光ディスク１の回転による遠心力によって発生する気流の加速を防止するための壁部５６４を周方向に沿って連続的に、設けている。
【００４６】
また、本実施の形態では、チャッキングプーリ５６３は、壁部５６４が設けられた面５６３Ｂ方向における中心部分の肉厚が中心部分以外の肉厚よりも厚くなるように形成されている。また、本実施の形態のディスクチャッキング装置５６１は、第２の実施の形態と同様に、チャッキングプーリ５６３のディスク圧着面５６３Ａをターンテーブル４０のディスク基準面４０ｂより大径に構成している。また、図９において、１１はトップケースを示している。また、チャッキングプーリ５６３は、軽量材料で高剛性に設計することが好ましい。ここで、軽量材料としては、例えば、アルミニウムやカーボン素材を使うことができる。また、壁部５６４はチャッキングプーリ５６３と一体的に成形されている。
【００４７】
このように、ディスクチャッキング装置５６１は、ディスク１の回転による遠心力によって発生する気流の加速を防止するための壁部５６４を、チャッキングプーリ５６３のディスク圧着面５６３Ａとは反対側の面上に、周方向に沿って連続的に設けるようにしたので、この壁部５６４により、図１４で説明した気流が一旦遮られ、図９に示すように、気流１と気流２に分かれるため、外周に近づくにつれて増加する気流の加速を止めることができる。これにより、流速の低下によって、ディスク１が回転することにより発生する騒音を減少させることができる。
【００４８】
また、本実施の形態では、チャッキングプーリ５６３は、壁部５６４が設けられた面５６３Ｂ方向における中心部分の肉厚が中心部分以外の肉厚よりも厚くなるように構成されているので、チャッキングプーリ５６３の剛性を高めることができる。また、本実施の形態におけるディスクチャッキング装置５６１は、チャッキングプーリ５６３のディスク圧着面５６３Ａをターンテーブル４０のディスク基準面４０ｂより大径に構成している。このため、チャッキングプーリ５６３のディスク圧着面５６３Ａの拡大により、剛性を高めることができ、ディスク１の変形量を減少させることがで、変形量の減少により発生応力を小さくすることができる。これにより、共振領域で使用する時のディスク破損を防止することができる。また、チャッキングプーリ５６３は、固定するディスク１の共振周波数よりも高い共振周波数を持つことが好ましい。チャッキングプーリ５６３が固定するディスク１の共振周波数よりも高い共振周波数を持つようにすることにより、ディスク１の共振を防止することができ、ディスク１が回転することにより起る共振によって生ずるディスク１の変形を防止することができる。これにより、ディスクの疲労破壊を防止することができる。
【００４９】
以上、本発明の一実施の形態を説明した。本発明は上記実施の形態に限定されるものではなく、本発明の要旨の範囲内において種々の変形実施が可能である。
【００５０】
【発明の効果】
以上説明した本発明によれば、前記ディスクの回転による遠心力によって発生する気流の加速を防止するための壁部を、前記チャッキングプーリのディスク圧着面とは反対側の面上に、周方向に沿って連続的に設けるようにしたので、ディスクが回転することにより発生する騒音を減少させることができる。
【図面の簡単な説明】
【図１】第１の実施の形態に係る光ディスク装置のディスクチャッキング装置を説明するための図である。
【図２】図１に示したチャッキングプーリを説明するための図である。（ａ）は、チャッキングプーリの正面図である。（ｂ）は、チャッキングプーリの平面図である。
【図３】第２の実施の形態に係る光ディスク装置のディスクチャッキング装置を説明するための図である。
【図４】図３に示したチャッキングプーリを説明するための図である。（ａ）は、チャッキングプーリの正面図である。（ｂ）は、チャッキングプーリの平面図である。
【図５】第３の実施の形態に係る光ディスク装置のディスクチャッキング装置を説明するための図である。
【図６】図５に示したチャッキングプーリを説明するための図である。（ａ）は、チャッキングプーリの正面図である。（ｂ）は、チャッキングプーリの平面図である。
【図７】第４の実施の形態に係る光ディスク装置のディスクチャッキング装置を説明するための図である。
【図８】図７に示したチャッキングプーリを説明するための図である。（ａ）は、チャッキングプーリの正面図である。（ｂ）は、チャッキングプーリの平面図である。
【図９】第５の実施の形態に係る光ディスク装置のディスクチャッキング装置を説明するための図である。
【図１０】従来の光ディスク装置のアンローディング時の斜視図である。
【図１１】従来の光ディスク装置のローディング時の斜視図である。
【図１２】従来例１の光ディスク装置のディスクチャッキング装置を説明するための図である。
【図１３】従来例２の光ディスク装置のディスクチャッキング装置を説明するための図である。
【図１４】従来の光ディスク装置の問題点を説明するための図である。
【符号の説明】
１１  トップケース
４０  ターンテーブル
１６１、２６１、３６１、４６１、５６１  ディスクチャッキング装置
１６３、２６３、３６３、４６３、５６３  チャッキングプーリ
１６３Ａ、２６３Ａ、３６３Ａ、４６３Ａ、５６３Ａ  ディスク圧着面
１６３Ｂ、２６３Ｂ、３６３Ｂ、４６３Ｂ、５６３Ｂ  ディスク圧着面とは反対側の面
１６４、２６４、３６４、４６４、４６５、５６４  壁部
【図１】
2004152435.tif 000003
【図２】
2004152435.tif 000004
【図３】
2004152435.tif 000005
【図４】
2004152435.tif 000006
【図５】
2004152435.tif 000007
【図６】
2004152435.tif 000008
【図７】
2004152435.tif 000009
【図８】
2004152435.tif 000010
【図９】
2004152435.tif 000011
【図１０】
2004152435.tif 000012
【図１１】
2004152435.tif 000013
【図１２】
2004152435.tif 000014
【図１３】
2004152435.tif 000015
【図１４】
2004152435.tif 000016